(57)【要約】      （修正有）【課題】左右方向における片側を支点とした焼き網の網部材の支持部材に対する上方への回動を抑制するグリルを提供する。【解決手段】焼き網３は、網部材４と網部材４を支持しグリル皿２に載置される支持部材５とを備え、網部材４は、外枠４１の前辺部から後方に突設される前側の水平位置規制部４３と、外枠の後辺部から前方に突設される後側の水平位置規制部４４とを備え、支持部材５は、前側の水平位置規制部４３及び後側の水平位置規制部４４が当接して、網部材４の水平方向の位置を規制する水平方向当接部５１を備え、さらに、網部材４は、外枠４１の前辺部から後方に突設され、前側の水平位置規制部４３より外枠の左右辺側に位置して、支持部材５の前辺部に載置される前辺載置部４５、及び、外枠４１の後辺部から前方に突設され、後側の水平位置規制部４４より外枠４１の左右辺側に位置して、支持部材５の後辺部に載置される後辺載置部４６を備える。【選択図】図２
2015139453.tif 000002
【特許請求の範囲】
【請求項１】
前方に開口する開口部を有するグリル庫と、前記開口部を介して前方へ移動可能で且つ後方へ移動して前記グリル庫内に収容可能なグリル皿と、前記グリル皿に載置される焼き網とを備えるグリルであって、
前記焼き網は、被加熱物が載置される網部材と、この網部材を支持し前記グリル皿に載置される支持部材とを備え、
前記網部材は、平面視矩形の外枠と、この外枠の左右に対向する２つの側辺部間に架設される被加熱物載置用の網体とで形成されると共に、
この網部材は、前記外枠の前辺部から後方に突設される前側の水平位置規制部と、前記外枠の後辺部から前方に突設される後側の水平位置規制部とを備え、
前記支持部材は、前記前側の水平位置規制部及び前記後側の水平位置規制部が当接して、前記網部材の水平方向の位置を規制する水平方向当接部を備え、さらに、
前記網部材は、前記外枠の前辺部から後方に突設され、前記前側の水平位置規制部より前記外枠の左右辺側に位置して、前記支持部材の前辺部に載置される前辺載置部、及び、前記外枠の後辺部から前方に突設され、前記後側の水平位置規制部より前記外枠の左右辺側に位置して、前記支持部材の後辺部に載置される後辺載置部を備えるものであることを特徴とするグリル。
【請求項２】
前記網部材の上に調理プレートを設置し、この調理プレートに被加熱物を載置した調理が可能であり、
前記調理プレートに、下方に突出する下方突出部を備え、
前記下方突出部と前記前辺載置部及び前記後辺載置部とが当接して、前記調理プレートの水平方向の移動が規制されることを特徴とする請求項１記載のグリル。
【発明の詳細な説明】
【技術分野】
【０００１】
本発明は、開口部を介してグリル庫に出し入れ自在に収容されるグリル皿と、グリル皿に載置される焼き網とを備えるグリルに関するものである。
【背景技術】
【０００２】
従来から広くグリルが利用されており、グリルは、開口部を介してグリル庫に出し入れ自在に収容されるグリル皿と、グリル皿に載置される焼き網とを備えている（例えば特許文献１参照）。焼き網には、載置される被加熱物からの油脂等の滓が付着するため、焼き網は、被加熱物を載置する網部材と、網部材を支持する支持部材とからなり、網部材のみをグリル皿上の支持部材から取り外して洗浄を行い、再びグリル皿上の支持部材に載置するものである。
【先行技術文献】
【特許文献】
【０００３】
【特許文献１】特開２０１３−１７０７１４号公報
【発明の概要】
【発明が解決しようとする課題】
【０００４】
ところで、複数の被加熱物を網部材に載置する際や載置した複数の被加熱物を網部材から取り上げる際等には、被加熱物が左右方向の片側に偏って網部材に載置された状態になることがある。この場合、網部材の前記片側に偏って荷重がかかり、網部材が前記片側における支持部材との当接部位を支点として、上方に回動して、被加熱物や網部材が転落する恐れがある。
【０００５】
本発明は上記従来の問題点に鑑みて発明したものであって、その目的とするところは、焼き網において、左右方向における片側を支点とした網部材の支持部材に対する上方への回動を抑制するグリルを提供することを課題とするものである。
【課題を解決するための手段】
【０００６】
前記課題を解決するために本発明は、前方に開口する開口部を有するグリル庫と、前記開口部を介して前方へ移動可能で且つ後方へ移動して前記グリル庫内に収容可能なグリル皿と、前記グリル皿に載置される焼き網とを備えるグリルであって、
前記焼き網は、被加熱物が載置される網部材と、この網部材を支持し前記グリル皿に載置される支持部材とを備え、前記網部材は、平面視矩形の外枠と、この外枠の左右に対向する２つの側辺部間に架設される被加熱物載置用の網体とで形成されると共に、
この網部材は、前記外枠の前辺部から後方に突設される前側の水平位置規制部と、前記外枠の後辺部から前方に突設される後側の水平位置規制部とを備え、
前記支持部材は、前記前側の水平位置規制部及び前記後側の水平位置規制部が当接して、前記網部材の水平方向の位置を規制する水平方向当接部を備え、さらに、
前記網部材は、前記外枠の前辺部から後方に突設され、前記前側の水平位置規制部より前記外枠の左右辺側に位置して、前記支持部材の前辺部に載置される前辺載置部、及び、前記外枠の後辺部から前方に突設され、前記後側の水平位置規制部より前記外枠の左右辺側に位置して、前記支持部材の後辺部に載置される後辺載置部を備えるものであることを特徴とする。
【０００７】
また、前記網部材の上に調理プレートを設置し、この調理プレートに被加熱物を載置した調理が可能であり、前記調理プレートに、下方に突出する下方突出部を備え、前記下方突出部と前記前辺載置部及び前記後辺載置部とが当接して、前記調理プレートの水平方向の移動が規制されるものであることが好ましい。
【発明の効果】
【０００８】
請求項１に係る発明にあっては、網部材は、外枠の前辺部から後方に突設され、前側の水平位置規制部より外枠の左右辺側に位置して、支持部材の前辺部に載置される前辺載置部、及び、外枠の後辺部から前方に突設され、後側の水平位置規制部より外枠の左右辺側に位置して、支持部材の後辺部に載置される後辺載置部を備えるものであるから、網部材が、前側及び後側の水平位置規制部によって支持部材上に載置される場合に較べて、焼き網の外枠の左右辺側が支持部材上に載置され、左右方向で幅広に位置する前辺載置部及び後辺載置部によって網部材が支持部材に支持されることになり支持部材に載置した網部材において、左側を支点とした右側の左上方への回動（左回動）と右側を支点とした左側の右上方への回動（右回動）とを夫々抑制することが可能となる。つまり、左右方向における片側を支点とした網部材の支持部材に対する上方への回動を抑制することができる。これによって、被加熱物が左右方向の片側に偏って網部材に載置される際に、被加熱物や網部材の転落の恐れを解消することが可能となる。
【０００９】
また、請求項２に係る発明にあっては、請求項１に係る発明が奏する効果に加えて、網部材の上に調理プレートを設置し、この調理プレートに被加熱物を載置した調理を行なう場合に、調理プレートから下方に突出する下方突出部と辺載置部及び後辺載置部とが当接して、調理プレートの水平方向の移動が規制されるので、調理プレートを用いた調理を行なう際に、調理プレートが水平方向にずれてしまうことが抑制できる。
【図面の簡単な説明】
【００１０】
【図１】本発明の一実施形態のグリル付きガスこんろの外観斜視図である。
【図２】同上におけるグリルの焼き網が載置されたグリル皿を引出した状態の、グリルの焼き網が載置されたグリル皿の斜視図である。
【図３】同上のグリルの焼き網が載置されたグリル皿の正面図である。
【図４】同上のグリルの焼き網が載置されたグリル皿の拡大正面図（図３のＡ部の拡大図）である。
【図５】同上のグリルの調理プレートと共に焼き網が載置されたグリル皿の斜視図である。
【発明を実施するための形態】
【００１１】
以下、本発明の一実施形態について添付図面に基づいて説明する。本実施形態のグリルは、図１に示すように、グリル付きガスこんろ９が備えるグリル１となっており、グリル付きガスこんろ９は、外殻となるケーシング９１に、こんろ部９２とグリル１とを有する。本発明のグリル１は、このようなグリル付きガスこんろ９が備えるグリル１に限定されず、グリル１単体や、他の機器と組み合わされたグリル１であってもよい。ここで便宜上、図１、図２中における符号Ｆの矢印の向く方向を前方とし、その逆方向（符号Ｂの矢印が向く方向）を後方とする。なお、前方（符号Ｆの矢印の方向）は、後述のグリル皿２の引き出し方向となっている。更に、この前後を基準に、左右方向を後方を向く時の左右方向とし、右を後方を向いた状態での右（符号ＬＲ１の矢印の方向）とし、左を後方を向いた状態での左（符号ＬＲ２の矢印の方向）とする。
【００１２】
ケーシング９１の左右方向の中央部には、グリル１（後に詳述する）が設けてある。ケーシング９１の前面の右半部の上部には、各こんろ部９２用の加熱状態調節部９４が設けてある。そして、ケーシング９１の前面の左右の下部には、グリル１用の調理設定入力部を有する操作パネル９５と、こんろ部９２用の調理設定入力部を有する操作パネル９５とが設けてある。各操作パネル９５は、所謂カンガルーポケットで形成されており、ケーシング９１内に収容可能であるが、カンガルーポケットに限定されるものではなく、またケーシング９１内に収容可能でなくてもよい。
【００１３】
各こんろ部９２は、ガスバーナ等の加熱手段と、加熱手段用の点火装置と、点火を検出する点火検出装置とを備える。そして、グリル１にも同様に、ガスバーナ等の加熱手段と点火装置と点火検出装置とを備える。点火装置は、点火操作がなされると、制御部により点火動作が行われ、点火検出装置において検出された点火情報は制御部に認識されて、制御部により点火プラグでの点火処理が行われる。また、各加熱手段には、燃料供給路から都市ガス等のガス燃料が供給される。なお、加熱手段、点火装置、点火検出装置はこのような形態に限定されない。
【００１４】
グリル１は、内部が加熱室となるグリル庫１０に、加熱手段としてのガスバーナ（不図示）を備える。なお、グリル１は、ガスバーナとして、グリル庫１０の上面に上バーナ（不図示）を備え、グリル庫１０の左右の側壁の下部に下バーナ（不図示）を備える。グリル庫１０は、前端に被加熱物の出し入れのための開口部１１（不図示）を有し、グリル庫１０の後部には、ガスバーナからの燃焼排ガスをグリル庫１０外に排出する排気通路が設けてある。
排気通路は、トッププレート９３の後部に設けた排気口９６に繋がり、排気口９６から前記燃焼排ガスが排出される。
【００１５】
グリル庫１０には、前後に移動自在でグリル皿２が設けられる。グリル皿２は、この移動によって、開口部１１から前方へ突出した状態と、グリル庫１０内に収容した状態とに切り替わる。グリル皿２は、図２に示すように、上方に開口する平面視略矩形の容器形状の受け部２１と、受け部２１の周端から外側に連設されるフランジ部２２とを備える。そして、グリル皿２は、上面に焼き網３（後述する）が載置されて、焼き網３上の被加熱物からの油脂等の滓を受けるものである。なお、グリル皿２の形状は特に限定されない。
【００１６】
図２、図３に示すように、グリル皿２上には、被加熱物を載置するための焼き網３が載置され、焼き網３上の被加熱物を上バーナ及び下バーナで上下から加熱するように構成されている。焼き網３は、被加熱物が載置される網部材４と、網部材４を支持する支持部材５とで形成されており、網部材４を支持部材５を介してグリル皿２に載置することで、グリル皿２上に取り付けられる。
【００１７】
網部材４は、平面視矩形の外枠４１と、この外枠４１の左右に対向する２つの側辺部間に架設される被加熱物載置用の網体４２とで形成され、  網部材４は、外枠４１の前辺部から後方に突設される前側の水平位置規制部４３と、外枠４１の後辺部から前方に突設される後側の水平位置規制部４４とを備える。
支持部材５は、前側の水平位置規制部４３及び後側の水平位置規制部４４が当接して、網部材４の水平方向の位置を規制する水平方向当接部５１を備える。
【００１８】
網部材４は、外枠４１の前辺部から後方に突設され、前側の水平位置規制部４３より外枠４１の左右辺側に位置して、支持部材５の前辺部に載置される前辺載置部４５、及び、外枠４１の後辺部から前方に突設され、後側の水平位置規制部４４より外枠４１の左右辺側に位置して、支持部材５の後辺部に載置される後辺載置部４６を備える。
【００１９】
具体的には、前側の水平位置規制部４３を構成する線材の直径より、大きな直径の線材によって前辺載置部４５を構成してあり、網部材４を支持部材５上に載置したとき、図４（図３におけるＡ部の拡大図）に示すように、外枠４１の下端に固定した前側の水平位置規制部４３の下端より、外枠４１の下端に固定した前辺載置部４５の下端が下方に位置して、前辺載置部４５の下端が支持部材５の前辺部と当接したときに、前側の水平位置規制部４３の下端と支持部材５の前辺部との間に隙間Ｇが生じるように構成される。また、図示しないが、外枠４１の後辺部においても同様に、外枠４１の下端に固定した後側の水平位置規制部４４の下端より、外枠４１の下端に固定した後辺載置部４６の下端が下方に位置して、後辺載置部４６の下端が支持部材５の後辺部と当接したときに、後側の水平位置規制部４４の下端と支持部材５の前辺部との間に隙間Ｇが生じるように構成される。
【００２０】
このように構成することで、網部材４は、外枠４１の前辺部から後方に突設され、前側の水平位置規制部４３より外枠４１の左右辺側に位置して、支持部材５の前辺部に載置される前辺載置部４５、及び、外枠４１の後辺部から前方に突設され、後側の水平位置規制部４４より外枠４１の左右辺側に位置して、支持部材５の後辺部に載置される後辺載置部４６を備えるものであるから、網部材４が、前側の水平位置規制部４３及び後側の水平位置規制部４４によって支持部材５上に載置される場合に較べて、焼き網３の外枠４１の左右辺側が支持部材５上に載置され、左右方向で幅広に位置する前辺載置部４５及び後辺載置部４６によって網部材４が支持部材５に支持されることになる。
【００２１】
しかして、支持部材５に載置した網部材４において、左側を支点とした右側の左上方への回動（左回動）と右側を支点とした左側の右上方への回動（右回動）とを夫々抑制することが可能となる。つまり、左右方向における片側を支点とした網部材４の支持部材５に対する上方への回動を抑制することができる。これによって、被加熱物が左右方向の片側に偏って網部材４に載置された際に、被加熱物や網部材４の転落の発生が抑制される。
【００２２】
本実施形態のグリル１では、図５に示すように、冷凍ピザの解凍やクッキーを焼いたりするときに等に、網部材４の上に調理プレート７を設置し、調理プレート７に被加熱物を載置した調理が可能である。調理プレート７には、調理プレート７下方に突出する下方突出部７１を備え、調理プレート７を網部材４の上に載置するとき、下方突出部７１と前辺載置部４５及び後辺載置部４６とが当接して、調理プレート７の水平方向の移動が規制されるように構成される。
【００２３】
このように構成することで、網部材４の上に調理プレート７を設置し、調理プレート７に被加熱物を載置した調理を行なう場合に、調理プレート７から下方に突出する下方突出部７１と前辺載置部４５及び後辺載置部４６とが当接して、調理プレート７の水平方向の移動が規制されるので、調理プレート７を用いた調理を行なう際に、調理プレート７が水平方向にずれてしまうことが抑制できる。
【００２４】
なお、本発明は、前述した実施形態の構成のみに限定されるものではなく、本発明の意図する範囲内であれば、適宜の設計変更を行うことが可能である。
【符号の説明】
【００２５】
１  グリル
１０  グリル庫
１１  開口部
２  グリル皿
３  焼き網
４  網部材
４１  外枠
４２  網体
４３  前側の水平位置規制部
４４  後側の水平位置規制部
４５  前辺載置部
４６  後辺載置部
５    支持部材
５１  水平方向当接部
７    調理プレート
７１  下方突出部
【図１】
2015139453.tif 000003
【図２】
2015139453.tif 000004
【図３】
2015139453.tif 000005
【図４】
2015139453.tif 000006
【図５】
2015139453.tif 000007